(57)【要約】【課題】複雑なシステムを構築することなく、内線ＩＰ電話網に接続された各種装置の連携処理をスムーズに行うことができるファクシミリ装置を提供する。【解決手段】ＩＰ−ＦＡＸ１０１は、ＩＰ通信がＩＰ−ＦＡＸ通信であるか否かを判別し、ＩＰ通信がＩＰ−ＦＡＸ通信でない場合、受信されたＩＰ通信をＩＰ電話機１０３に転送する。【選択図】図３
2017011572.tif 000002
【特許請求の範囲】
【請求項１】
第１のネットワークに接続された通信装置から送信された、ＩＰ通話要求及びＩＰファクシミリ通信要求を含むＩＰ通信要求に基づいて前記通信装置とＩＰ通信を行い、前記第１のネットワークに接続された第２のネットワークを介して録音装置に前記ＩＰ通信要求を転送可能なファクシミリ装置であって、
前記ＩＰ通信要求を受信すると、前記通信装置、及び前記録音装置の各々とセッションを確立するセッション確立手段と、
前記ＩＰ通信要求がＩＰファクシミリ通信要求であるか否かを判別する判別手段と、
前記ＩＰ通信要求がＩＰファクシミリ通信要求でない場合、前記ＩＰ通信要求を前記録音装置に転送するＩＰ通信制御手段とを備えることを特徴とするファクシミリ装置。
【請求項２】
前記ＩＰ通信制御手段は、前記ＩＰ通信要求がＩＰファクシミリ通信要求である場合、前記ＩＰ通信要求に基づいて前記通信装置とＩＰファクシミリ通信を行うことを特徴とする請求項１記載のファクシミリ装置。
【請求項３】
前記ＩＰ通信制御手段は、前記ＩＰ通信要求がＩＰファクシミリ通信要求である場合、前記ＩＰ通信要求に基づいて前記通信装置とＩＰファクシミリ通信を行う前に前記録音装置とのセッションを終了することを特徴とする請求項２記載のファクシミリ装置。
【請求項４】
前記セッション確立手段は、前記通信装置及び前記録音装置の間のセッションを確立させないように、前記ＩＰ通信要求を受信すると、直ちに前記通信装置とセッションを確立する請求項１乃至３のいずれか１項に記載のファクシミリ装置。
【請求項５】
第１のネットワークに接続された通信装置から送信された、ＩＰ通話要求及びＩＰファクシミリ通信要求を含むＩＰ通信要求に基づいて前記通信装置とＩＰ通信を行い、前記第１のネットワークに接続された第２のネットワークを介して録音装置に前記ＩＰ通信要求を転送可能なファクシミリ装置の制御方法であって、
前記ＩＰ通信要求を受信すると、前記通信装置、及び前記録音装置の各々とセッションを確立するセッション確立ステップと、
前記ＩＰ通信要求がＩＰファクシミリ通信要求であるか否かを判別する判別ステップと、
前記ＩＰ通信要求がＩＰファクシミリ通信要求でない場合、前記ＩＰ通信要求を前記録音装置に転送するＩＰ通信制御ステップとを備えることを特徴とするファクシミリ装置の制御方法。
【請求項６】
第１のネットワークに接続された通信装置から送信された、ＩＰ通話要求及びＩＰファクシミリ通信要求を含むＩＰ通信要求に基づいて前記通信装置とＩＰ通信を行い、前記第１のネットワークに接続された第２のネットワークを介して録音装置に前記ＩＰ通信要求を転送可能なファクシミリ装置の制御方法をコンピュータに実行させるプログラムであって、
前記ファクシミリ装置の制御方法は、
前記ＩＰ通信要求を受信すると、前記通信装置、及び前記録音装置の各々とセッションを確立するセッション確立ステップと、
前記ＩＰ通信要求がＩＰファクシミリ通信要求であるか否かを判別する判別ステップと、
前記ＩＰ通信要求がＩＰファクシミリ通信要求でない場合、前記ＩＰ通信要求を前記録音装置に転送するＩＰ通信制御ステップとを備えることを特徴とするプログラム。
【発明の詳細な説明】
【技術分野】
【０００１】
本発明は、ファクシミリ装置及びその制御方法、並びにプログラムに関し、特に、ＶｏＩＰを用いたファクシミリ通信を実行可能なファクシミリ装置及びその制御方法、並びにプログラムに関する。
【背景技術】
【０００２】
公衆向けのＩＰ網（以下、「公衆ＩＰ網」という。）に接続された電話機（以下、「ＩＰ電話機」という。）の間でＩＰ通信による通話（以下、「ＩＰ通話」という。）等が可能なＩＰ電話技術が知られている。ＩＰ電話機は、ＳＩＰ（Session Initiation Protocol）等の呼制御プロトコルを用いてリアルタイム通信を実行するための各セッションの生成・変更・切断を制御する。また、ＩＰ電話機は、ＶｏＩＰ（Voice over Internet Protocol）技術を用いて音声データを各種符号化・圧縮し、当該音声データをＩＰパケットに変換する。そして、ＩＰ電話機は変換されたＩＰパケットを公衆ＩＰ網上でリアルタイムに伝送してＩＰ通話処理を行う。
【０００３】
ＩＰ電話機は、ＩＰ−ＰＢＸ（Internet Protocol-Private Branch eXchange）を用いて、屋内に設けられるイントラネットに接続された他のＩＰ電話機と内線ＩＰ電話網を構築する。内線ＩＰ電話網に接続されたＩＰ電話機（以下、「内線ＩＰ電話機」という。）は、内線ＩＰ電話機同士で内線ＩＰ通話可能である。
【０００４】
近年では、ターミナルアダプタ（Terminal Adapter）（以下、「ＴＡ」という。）やホームゲートウェイ（Home GateWay）（以下、「ＨＧＷ」という。）を介して公衆ＩＰ網や内線ＩＰ電話網等の各種ＩＰ網にファクシミリ装置（以下、「ＩＰ−ＦＡＸ装置」という。）が接続される。各種ＩＰ網に接続されたＩＰ−ＦＡＸ装置は、他のＩＰ−ＦＡＸ装置から送信されたＩＰ通信を用いたファクシミリ通信（以下、「ＩＰ−ＦＡＸ通信」という。）を要求するためのＩＰ−ＦＡＸ通信要求に応じてＩＰ−ＦＡＸ通信を行う。また、ＩＰ−ＦＡＸ装置はＩＰ通話を行うためのＩＰ通話要求を内線ＩＰ電話機に転送可能である。
【０００５】
ところで、ＩＰ電話機は留守番電話機能を備え、他のＩＰ電話機からの通話音声を録音する。ここで、例えば、通話音声を録音するための録音機能を有しないＩＰ−ＦＡＸ装置でＩＰ通話要求を受信した場合、ＩＰ−ＦＡＸ装置は通話音声を録音するために当該ＩＰ通話要求を内線ＩＰ電話機に転送する。また、ＩＰ−ＦＡＸ通信を実行不可能なＩＰ電話機でＩＰ−ＦＡＸ通信要求を受信した場合、ＩＰ電話機はＩＰ−ＦＡＸ通信要求を当該ＩＰ−ＦＡＸ通信要求に基づくＩＰ−ＦＡＸを実行可能なＩＰ−ＦＡＸ装置に転送する。具体的には、ＩＰ電話機は当該ＩＰ電話機と内線ＩＰ電話網で接続されたＩＰ−ＦＡＸ装置（以下、「内線ＩＰ−ＦＡＸ装置」という。）にＩＰ−ＦＡＸ通信要求を転送する。
【０００６】
ＩＰ電話機から内線ＩＰ−ＦＡＸ装置にＩＰ−ＦＡＸ通信要求を転送する技術として、ＩＰ電話機と内線ＩＰ電話網で接続された保留サーバや主装置がＩＰ−ＦＡＸ通信要求の転送を管理する技術が知られている（例えば、特許文献１参照）。特許文献１の技術における電話システムでは、ＩＰ電話機でＩＰ−ＦＡＸ通信要求及びＩＰ通話要求のいずれかの要求に応答した場合、ユーザがＩＰ電話機の保留ボタンを押下すると、保留サーバが通話要求の判別処理を行う。通話要求の判別処理では、ＩＰ電話機によって応答された要求がＩＰ−ＦＡＸ通信要求であるか否かが判別される。応答された要求がＩＰ−ＦＡＸ通信要求であると、主装置がＩＰ−ＦＡＸ通信要求を内線ＩＰ−ＦＡＸ装置に転送する。これにより、ユーザがＩＰ電話機でＩＰ−ＦＡＸ通信要求を応答しても、複雑な操作を行うことなく、ＩＰ−ＦＡＸ通信要求を内線ＩＰ−ＦＡＸ装置に転送可能である。すなわち、内線ＩＰ電話機及び内線ＩＰ−ＦＡＸ装置間の連携処理がスムーズに行われる。
【先行技術文献】
【特許文献】
【０００７】
【特許文献１】特開２００８−２５２６１９号公報
【発明の概要】
【発明が解決しようとする課題】
【０００８】
しかしながら、特許文献１の技術では、主装置及び保留サーバを設けた複雑なシステムを構築する必要があり、当該システムを管理するためのコストが高くなってしまう。
【０００９】
本発明の目的は、複雑なシステムを構築することなく、内線ＩＰ電話網に接続された各種装置の連携処理をスムーズに行うことができるファクシミリ装置及びその制御方法、並びにプログラムを提供することにある。
【課題を解決するための手段】
【００１０】
上記目的を達成するために、本発明のファクシミリ装置は、第１のネットワークに接続された通信装置から送信された、ＩＰ通話要求及びＩＰファクシミリ通信要求を含むＩＰ通信要求に基づいて前記通信装置とＩＰ通信を行い、前記第１のネットワークに接続された第２のネットワークを介して録音装置に前記ＩＰ通信要求を転送可能なファクシミリ装置であって、前記ＩＰ通信要求を受信すると、前記通信装置及び前記録音装置の各々とセッションを確立するセッション確立手段と、前記ＩＰ通信要求がＩＰファクシミリ通信要求であるか否かを判別する判別手段と、前記ＩＰ通信要求がＩＰファクシミリ通信要求でない場合、前記ＩＰ通信要求を前記録音装置に転送するＩＰ通信制御手段とを備えることを特徴とする。
【発明の効果】
【００１１】
本発明によれば、複雑なシステムを構築することなく、内線ＩＰ電話網に接続された各種装置の連携処理をスムーズに行うことができる。
【図面の簡単な説明】
【００１２】
【図１】本発明の実施の形態に係るファクシミリ装置としてのＩＰ−ＦＡＸを含む通信システムの構成を概略的に示すブロック図である。
【図２】図１の通信システムで実行されるファクシミリ通信処理の手順を示すシーケンス図である。
【図３】図１の通信システムで実行される転送処理の手順を示すシーケンス図である。
【図４】図１におけるＩＰ−ＦＡＸで実行されるＩＰ通信処理の手順を示すフローチャートである。
【発明を実施するための形態】
【００１３】
以下、本発明の実施の形態を図面を参照しながら詳述する。
【００１４】
図１は、本発明の実施の形態に係るファクシミリ装置としてのＩＰ−ＦＡＸ１０１を含む通信システム１００の構成を概略的に示すブロック図である。
【００１５】
図１において、通信システム１００は、ＩＰ−ＦＡＸ１０１，１０５、ＩＰ電話機１０３，１０７、及びＨＧＷ１０４，１０８を備える。ＩＰ−ＦＡＸ１０１はローカルＩＰネットワーク１０２を介してＩＰ電話機１０３及びＨＧＷ１０４と互いに接続され、ＩＰ−ＦＡＸ１０５はローカルＩＰネットワーク１０６を介してＩＰ電話機１０７及びＨＧＷ１０８と互いに接続されている。ＨＧＷ１０４及びＨＧＷ１０８は公衆ＩＰネットワーク１０９を介して接続されている。
【００１６】
ＩＰ電話機１０３，１０７は、留守番電話機能を有し、当該留守番電話機能を用いるための留守番電話接続モードが設定された場合、通話先から送信された音声を録音する。また、ＩＰ電話機１０３，１０７は公衆ＩＰネットワーク１０９を介して通話可能である。ＨＧＷ１０４，１０８は、ローカルＩＰネットワーク１０２，１０６と公衆ＩＰネットワーク１０９とを接続し、ローカルＩＰネットワーク１０２，１０６の各々に接続された各種装置の呼制御サーバとして用いられる。例えば、ＨＧＷ１０４は、ＨＧＷ１０８からＩＰ通信のセッションを確立するためのＩＮＶＩＴＥリクエストを受信すると、ＨＧＷ１０４に接続されたＩＰ−ＦＡＸ１０１及びＩＰ電話機１０３の各々に当該ＩＮＶＩＴＥリクエストを送信する。ＩＰ−ＦＡＸ１０１，１０５の各々は、ＶｏＩＰ機能を有し、アナログ信号に変換されたファクシミリ信号の音声符号化復号化処理やＩＰパケット処理を実行可能なみなし音声通信方式のファクシミリ装置である。また、ＩＰ−ＦＡＸ１０１，１０５の各々は、通信先から送信された音声から当該通信先がファクシミリ装置であることを示すＣＮＧ信号を検知すると、当該通信先とＩＰ−ＦＡＸ通信（ＩＰファクシミリ通信）を行う。さらに、ＩＰ−ＦＡＸ１０１，１０５の各々は、留守番電話機能を有し、留守番電話機能を用いるための留守番電話接続モードが設定された場合、ＩＰ−ＦＡＸ通信要求を受信すると、当該ＩＰ−ＦＡＸ通信要求に基づくＩＰ−ＦＡＸ処理を実行する。ＩＰ−ＦＡＸ１０１はＩＰ電話機１０３とローカルＩＰネットワーク１０２を介して互いにＩＰ−ＦＡＸ通信要求及びＩＰ通話要求を含むＩＰ通信要求を転送可能である。ＩＰ−ＦＡＸ１０５はＩＰ電話機１０７とローカルＩＰネットワーク１０６を介して互いにＩＰ通信要求を転送可能である。本実施の形態では、ＩＰ−ＦＡＸ１０１，１０５は同様の構成を有するため、以下、一例として、ＩＰ−ＦＡＸ１０１を用いて説明する。
【００１７】
ＩＰ−ＦＡＸ１０１は、ＣＰＵ１１０、ＲＯＭ１１１、ＲＡＭ１１２、画像メモリ１１３、解像度変換部１１４、符号化復号化処理部１１５、時計部１１６、及びデジタルモデム１１７を備える。また、ＩＰ−ＦＡＸ１０１は、Subscriber Line Interface Circuit（ＳＬＩＣ）１１８、ＬＡＮＩ／Ｆ１１９、画像処理部１２０、シートスキャナ１２１、ブックスキャナ１２２、及び操作部１２３を備える。さらに、ＩＰ−ＦＡＸ１０１は、ラインバッファ１２４、プリントバッファ１２５、及びプリンタ１２６を備える。ＣＰＵ１１０は、ＲＯＭ１１１、ＲＡＭ１１２、画像メモリ１１３、解像度変換部１１４、符号化復号化処理部１１５、時計部１１６、デジタルモデム１１７、ＳＬＩＣ１１８、及びＬＡＮＩ／Ｆ１１９とシステムバス１２７を介して互いに接続されている。また、ＣＰＵ１１０は、画像処理部１２０、操作部１２３、ラインバッファ１２４、及びプリントバッファ１２５とシステムバス１２７を介して互いに接続されている。デジタルモデム１１７はＳＬＩＣ１１８と互いに接続され、画像処理部１２０はシートスキャナ１２１及びブックスキャナ１２２と互いに接続され、プリントバッファ１２５はプリンタ１２６と接続されている。
【００１８】
ＣＰＵ１１０はＩＰ−ＦＡＸ１０１全体を統括的に制御する。ＲＯＭ１１１はＣＰＵ１１０が実行する各種制御プログラムを格納する。ＲＡＭ１１２はＳＲＡＭ等で構成され、ＩＰ−ＦＡＸ１０１の各種設定情報や各種データの管理情報等を格納する。画像メモリ１１３はＤＲＡＭ等で構成され、各種画像データ等を格納する。解像度変換部１１４は画像データを形成するために必要なラスタデータに解像度変換処理を行う。符号化復号化処理部１１５は格納された画像データ等に符号化復号化処理を行う。時計部１１６は図示しないＩＣ回路で構成され、各種処理に用いられる時間を計時する。デジタルモデム１１７は、格納された画像データを変調してＧ．７１１等の規格に基づいて音声符号化を行い、音声符号化されたデータをデジタルデータとしてローカルＩＰネットワーク１０２に送信する。ＳＬＩＣ１１８は、Ｇ．７１１等の規格に基づいて音声コーデックによるアナログ‐デジタル変換処理や電話回線エミュレーションを行う。ＬＡＮＩ／Ｆ１１９はローカルＩＰネットワーク１０２に接続されたＩＰ電話機１０３とデータ通信を行う。画像処理部１２０は、シートスキャナ１２１やブックスキャナ１２２によって読み込まれた画像データに補正処理を行って高精細な画像データを生成する。シートスキャナ１２１及びブックスキャナ１２２の各々は、図示しないＣＳイメージセンサ及び原稿搬送機構等を備え、原稿を光学的に読み取って電気的な画像データに変換する。操作部１２３はキーボード及び表示部等を備え、ユーザの操作によってＩＰ−ＦＡＸ１０１の各種設定を行う。ラインバッファ１２４は画像データの送信制御を行う。プリントバッファ１２５は１ページ分の印刷用の文字コードを格納するためのバッファメモリである。プリンタ１２６は格納された画像データを記録紙に印刷する。
【００１９】
図２は、図１の通信システム１００で実行されるファクシミリ通信処理の手順を示すシーケンス図である。
【００２０】
例えば、ＩＰ電話機１０３でＩＰ−ＦＡＸ通信要求を応答した場合、ＩＰ電話機１０３は、ＩＰ−ＦＡＸ通信を実行不可能であるので、ＩＰ−ＦＡＸ通信を実行可能なＩＰ−ＦＡＸ１０１に転送する必要がある。ＩＰ電話機１０３からＩＰ−ＦＡＸ１０１にＩＰ−ＦＡＸ通信要求を容易に転送するために、例えば、特許文献１のような、ＩＰ−ＦＡＸ通信要求の転送を管理する保留サーバや主装置を備える通信システムを構築することも考えられる。その場合、主装置及び保留サーバを設けた複雑なシステムを構築する必要があり、当該システムを管理するためのコストが高くなってしまう。
【００２１】
これに対応して、本実施の形態におけるＩＰＦＡＸ１０１は、受信されたＩＰ通信がＩＰ−ＦＡＸ通信であるか否かを判別し、ＩＰ通信がＩＰ−ＦＡＸ通信でない場合、ＩＰ電話機１０３にＩＰ通信を転送する。
【００２２】
図２の処理は、ＨＧＷ１０４からＩＰ−ＦＡＸ１０１及びＩＰ電話機１０３にＩＰ通信のＩＮＶＩＴＥリクエストが夫々送信される場合の一例として、ＩＰ−ＦＡＸ１０１及びＩＰ電話機１０３の各々で留守番電話接続モードが設定されている場合を前提とする。
【００２３】
図２において、まず、通信システム１００におけるＩＰ−ＦＡＸ１０５は、ＨＧＷ１０８を介してＨＧＷ１０４にＩＰ−ＦＡＸ通信のセッションの確立を要求するＩＮＶＩＴＥリクエストを送信する（ステップＳ２０１）。以下では、ＩＰ−ＦＡＸ通信のセッションをＦＡＸセッションとし、ＦＡＸセッションの確立を要求するＩＮＶＩＴＥリクエスト（ＩＰファクシミリ通信要求）をＦＡＸ−ＩＮＶＩＴＥリクエストとして説明する。みなし音声方式のファクシミリ装置であるＩＰ−ＦＡＸ１０１，１０５では、ＦＡＸ−ＩＮＶＩＴＥリクエストに含まれるメディア種別に「ａｕｄｉｏ」が設定されている。メディア種別はＩＰ通信の種別を示し、みなし音声方式のファクシミリ装置では、ＩＰ通話やＩＰ−ＦＡＸ通信に対応するメディア種別として「ａｕｄｉｏ」が用いられる。次いで、ＨＧＷ１０４は、当該ＨＧＷ１０４に接続されるＩＰ−ＦＡＸ１０１及びＩＰ電話機１０３の各々にＦＡＸ−ＩＮＶＩＴＥリクエストを送信する（ステップＳ２０２、Ｓ２０３）。
【００２４】
次いで、ＩＰ−ＦＡＸ１０１は受信されたＦＡＸ−ＩＮＶＩＴＥリクエストに応じて直ちにセッション確立処理を行う（ステップＳ２０４）。具体的に、ＩＰ−ＦＡＸ１０１はＦＡＸ−ＩＮＶＩＴＥリクエストのメディア種別に対応するＩＰ−ＦＡＸ通信を着信処理中であることを示す暫定応答（１００  Ｔｒｙｉｎｇ）をＨＧＷ１０４に送信する。また、ＩＰ−ＦＡＸ１０１は当該ＩＰ−ＦＡＸ通信の通信相手を呼び出し中であることを示す暫定応答（１８０  Ｒｉｎｇｉｎｇ）をＨＧＷ１０４に送信する。さらに、ＩＰ−ＦＡＸ１０１は、暫定応答（１００  Ｔｒｙｉｎｇ）及び暫定応答（１８０  Ｒｉｎｇｉｎｇ）を送信した後、直ちに、ＦＡＸセッションを確立するために必要な成功応答（２００  ＯＫ）をＨＧＷ１０４に送信する。その後、ＩＰ−ＦＡＸ１０５は、ＨＧＷ１０４を介して成功応答（２００  ＯＫ）を受信し、成功応答（２００  ＯＫ）を受信したことを示すＡＣＫ信号をＩＰ−ＦＡＸ１０１に送信する。その後、ＩＰ−ＦＡＸ１０１がＡＣＫ信号を受信すると、ＩＰ−ＦＡＸ１０１及びＩＰ−ＦＡＸ１０５の間ではＦＡＸセッションが確立する。
【００２５】
一方、ＨＧＷ１０４及びＩＰ電話機１０３は、ＦＡＸ−ＩＮＶＩＴＥリクエストに対応するＦＡＸセッションがＩＰ−ＦＡＸ１０１及びＩＰ−ＦＡＸ１０５の間で確立すると、要求取消処理を行う（ステップＳ２０５）。具体的に、ＦＡＸセッションがＩＰ−ＦＡＸ１０１及びＩＰ−ＦＡＸ１０５の間で確立すると、ＨＧＷ１０４がＩＰ電話機１０３にＦＡＸ−ＩＮＶＩＴＥリクエストを取り消すためのＣＡＮＣＥＬリクエストを送信する。ＩＰ電話機１０３は、ＣＡＮＣＥＬリクエストを受信し、受信されたＣＡＮＣＥＬリクエストに応じてＦＡＸ−ＩＮＶＩＴＥリクエストの終了を示すリクエスト終了信号（４８７  Ｒｅｑｕｅｓｔ  Ｔｅｒｍｉｎａｔｅｄ）をＨＧＷ１０４に送信する。次いで、ＨＧＷ１０４は、リクエスト終了信号（４８７  Ｒｅｑｕｅｓｔ  Ｔｅｒｍｉｎａｔｅｄ）を受信したことを示すＡＣＫ信号をＩＰ電話機１０３に送信する。これにより、ＩＰ電話機１０３はＨＧＷ１０４から受信されたＩＮＶＩＴＥリクエストに対応する処理を終了する。すなわち、本実施の形態では、ＩＰ−ＦＡＸ１０１で留守番電話接続モードが設定されている場合、ＩＰ−ＦＡＸ１０５からＦＡＸ−ＩＮＶＩＴＥリクエストが送信されると、ＩＰ−ＦＡＸ１０５のＦＡＸセッションの確立先は必ずＩＰ−ＦＡＸ１０１となる。
【００２６】
ＩＰ−ＦＡＸ１０１は、ステップＳ２０４においてＦＡＸセッションが確立すると、ＩＰ電話機１０３と内線通話を行うためのセッションの確立を要求するＩＮＶＩＴＥリクエストをＨＧＷ１０４に送信する（ステップＳ２０６）。以下では、ＩＰ電話機１０３と内線通話を行うためのセッションを内線セッションとし、内線セッションの確立を要求するＩＮＶＩＴＥリクエストを内線ＩＮＶＩＴＥリクエストとして説明する。次いで、ＨＧＷ１０４は当該内線ＩＮＶＩＴＥリクエストをＩＰ電話機１０３に送信する（ステップＳ２０７）。ＩＰ−ＦＡＸ１０１はステップＳ２０６の処理と並行してＩＰ−ＦＡＸ１０５にＩＰ電話機１０３を呼出し中であることを通知する疑似ＲＢＴを送信する（ステップＳ２０８）。次いで、ＩＰ−ＦＡＸ１０１はＣＮＧ信号を所定の期間監視するＣＮＧ信号監視処理を開始する（ステップＳ２０９）。ここで、ＦＡＸ−ＩＮＶＩＴＥリクエストには、ＩＰ通信の種別がＩＰ通話及びＩＰ−ＦＡＸ通信のいずれであっても、メディア種別として「ａｕｄｉｏ」が設定されている。このため、ＩＰ−ＦＡＸ１０１は、ＦＡＸ−ＩＮＶＩＴＥリクエストに基づいてＩＰ通信の種別がＩＰ通話及びＩＰ−ＦＡＸ通信のいずれであるかを判別することができない。これに対応して、本実施の形態では、ＩＰ−ＦＡＸ１０１は、ＩＰ−ＦＡＸ１０５から送信される音声データ（以下、「送信音声データ」という。）（ＩＰファクシミリ通信要求）から当該ＩＰ−ＦＡＸ１０５がファクシミリ装置であることを示すＣＮＧ信号を検知すると、ＩＰ通信の種別がＩＰ−ＦＡＸ通信であると判別する。ＣＮＧ信号は１１００Ｈｚの単一トーンの信号である。
【００２７】
ＩＰ電話機１０３は、ステップＳ２０７で受信された内線ＩＮＶＩＴＥリクエストに応じてステップＳ２０４と同様の処理であるセッション確立処理を行って（ステップＳ２１０）、ＩＰ−ＦＡＸ１０１との間で内線セッションを確立する。次いで、ＩＰ電話機１０３は応答用音声データをＩＰ−ＦＡＸ１０１に送信する（ステップＳ２１１）。応答用音声データには「只今、留守にしています。御用の方はメッセージをどうぞ。」等のメッセージの録音を促す応答メッセージ（Out Going Message）が含まれる。次いで、ＩＰ−ＦＡＸ１０１は受信された応答用音声データを中継し、応答用音声データをＩＰ−ＦＡＸ１０５へ送信する（ステップＳ２１２）。次いで、ＩＰ−ＦＡＸ１０１は、ＩＰ−ＦＡＸ１０５からの送信音声データを中継し、当該送信音声データをＩＰ電話機１０３に送信する。また、ＩＰ−ＦＡＸ１０１は、ＩＰ−ＦＡＸ１０５からの送信音声データの中からＣＮＧ信号を検知すると（ステップＳ２１３）、ＩＰ電話機１０３と確立された内線セッションを終了するためにセッション終了処理を行う（ステップＳ２１４）。具体的に、ＩＰ−ＦＡＸ１０１はセッションを終了するためのＢＹＥリクエストをＨＧＷ１０４を介してＩＰ電話機１０３に送信する。ＩＰ電話機１０３はＢＹＥリクエストを受信したことを示す成功応答（２００  ＯＫ）をＨＧＷ１０４を介してＩＰ−ＦＡＸ１０１に送信する。ＩＰ−ＦＡＸ１０１が成功応答（２００  ＯＫ）を受信すると、ＩＰ−ＦＡＸ１０１及びＩＰ電話機１０３の間で確立されていた内線セッションが終了する。ＩＰ−ＦＡＸ１０１は、ステップＳ２１４の処理と並行して、ＩＰ−ＦＡＸ１０５から送信された音声データに基づいてＩＰ−ＦＡＸ１０５とＩＰ−ＦＡＸ受信を行う（ステップＳ２１５）。次いで、ＩＰ−ＦＡＸ１０１は、ＩＰ−ＦＡＸ受信が完了すると、ＦＡＸセッションを終了するためにステップＳ２１４と同様の処理であるセッション終了処理を行い（ステップＳ２１６）、本処理を終了する。
【００２８】
図３は、図１の通信システム１００で実行される転送処理の手順を示すシーケンス図である。
【００２９】
図３の処理も、ＨＧＷ１０４からＩＰ−ＦＡＸ１０１及びＩＰ電話機１０３にＩＰ通信のＩＮＶＩＴＥリクエストが夫々送信される場合の一例として、ＩＰ−ＦＡＸ１０１及びＩＰ電話機１０３の各々で留守番電話接続モードが設定されている場合を前提とする。
【００３０】
図３において、まず、通信システム１００におけるＩＰ電話機１０７は、ＨＧＷ１０８を介してＨＧＷ１０４にＩＰ通話のセッションの確立を要求するＩＮＶＩＴＥリクエスト（ＩＰ通話要求）を送信する（ステップＳ３０１）。以下では、ステップＳ３０１におけるＩＰ通話のセッションを第１の通話セッションとし、第１の通話セッションの確立を要求するＩＮＶＩＴＥリクエストを通話ＩＮＶＩＴＥリクエストとして説明する。次いで、ＨＧＷ１０４は、当該ＨＧＷ１０４に接続されるＩＰ−ＦＡＸ１０１及びＩＰ電話機１０３の各々に通話ＩＮＶＩＴＥリクエストを送信する（ステップＳ３０２、Ｓ３０３）。
【００３１】
次いで、ＩＰ−ＦＡＸ１０１は受信された通話ＩＮＶＩＴＥリクエストに応じてセッション確立処理を行う（ステップＳ３０４）。具体的に、ＩＰ−ＦＡＸ１０１は通話ＩＮＶＩＴＥリクエストのメディア種別に対応するＩＰ通話を着信処理中であることを示す暫定応答（１００  Ｔｒｙｉｎｇ）をＨＧＷ１０４に送信する。また、ＩＰ−ＦＡＸ１０１は当該ＩＰ通話の通信相手を呼び出し中であることを示す暫定応答（１８０  Ｒｉｎｇｉｎｇ）をＨＧＷ１０４に送信する。さらに、ＩＰ−ＦＡＸ１０１は、暫定応答（１００  Ｔｒｙｉｎｇ）及び暫定応答（１８０  Ｒｉｎｇｉｎｇ）を送信した後、直ちに、第１の通話セッションを確立するために必要な成功応答（２００  ＯＫ）をＨＧＷ１０４に送信する。その後、ＩＰ電話機１０７は、ＨＧＷ１０４を介して成功応答（２００  ＯＫ）を受信し、成功応答（２００  ＯＫ）を受信したことを示すＡＣＫ信号をＩＰ−ＦＡＸ１０１に送信する。その後、ＩＰ−ＦＡＸ１０１がＡＣＫ信号を受信すると、ＩＰ−ＦＡＸ１０１及びＩＰ電話機１０７の間では第１の通話セッションが確立する。
【００３２】
一方、ＨＧＷ１０４及びＩＰ電話機１０３は、図２のステップＳ２０５と類似の処理を行う（ステップＳ３０５）。具体的に、第１の通話セッションがＩＰ−ＦＡＸ１０１及びＩＰ電話機１０７の間で確立すると、ＨＧＷ１０４がＩＰ電話機１０３に通話ＩＮＶＩＴＥリクエストを取り消すためのＣＡＮＣＥＬリクエストを送信する。ＩＰ電話機１０３は、ＣＡＮＣＥＬリクエストを受信し、受信されたＣＡＮＣＥＬリクエストに応じて通話ＩＮＶＩＴＥリクエストの終了を示すリクエスト終了信号（４８７  Ｒｅｑｕｅｓｔ  Ｔｅｒｍｉｎａｔｅｄ）をＨＧＷ１０４に送信する。次いで、ＨＧＷ１０４は、リクエスト終了信号（４８７  Ｒｅｑｕｅｓｔ  Ｔｅｒｍｉｎａｔｅｄ）を受信したことを示すＡＣＫ信号をＩＰ電話機１０３に送信する。これにより、ＩＰ電話機１０３はＨＧＷ１０４から受信された通話ＩＮＶＩＴＥリクエストに対応する処理を終了する。すなわち、本実施の形態では、ＩＰ−ＦＡＸ１０１で留守番電話接続モードが設定されている場合、ＩＰ電話機１０７から通話ＩＮＶＩＴＥリクエストが送信されても、ＩＰ電話機１０７の第１の通話セッションの確立先は必ずＩＰ−ＦＡＸ１０１となる。
【００３３】
ＩＰ−ＦＡＸ１０１及びＨＧＷ１０４は、ステップＳ３０４において第１の通話セッションが確立すると、図２のステップＳ２０６、Ｓ２０７と同様の処理を行う。また、ＩＰ−ＦＡＸ１０１はステップＳ２０６の処理と並行してＩＰ電話機１０７にＩＰ電話機１０３を呼出し中であることを通知する疑似ＲＢＴを送信する（ステップＳ３０６）。次いで、ＩＰ−ＦＡＸ１０１はＣＮＧ信号を所定の期間監視するＣＮＧ信号監視処理を開始する（ステップＳ３０７）。
【００３４】
ＩＰ電話機１０３は、ステップＳ２０７の処理を実行した後に図２のステップＳ２１０、Ｓ２１１と同様の処理を行う。次いで、ＩＰ−ＦＡＸ１０１は受信された応答用音声データを中継し、当該応答用音声データをＩＰ電話機１０７へ送信する（ステップＳ３０８）。次いで、ＩＰ−ＦＡＸ１０１は、ＩＰ電話機１０７から送信される送信音声データを中継し、当該送信音声データをＩＰ電話機１０３に送信する。また、ＩＰ−ＦＡＸ１０１は、ＩＰ電話機１０７との第１の通話セッションが確立されてから所定の期間、ＩＰ電話機１０７から送信される送信音声データからＣＮＧ信号を検知しないと、通信先がファクシミリ装置ではないと判断する。これにより、ＩＰ−ＦＡＸ１０１はＩＰ通信の種別がＩＰ通話であると判別する。次いで、ＩＰ−ＦＡＸ１０１は、ＩＰ電話機１０７とのＩＰ通信をＩＰ電話機１０３に転送するために転送処理を行う（ステップＳ３０９）。具体的には、ＩＰ−ＦＡＸ１０１は、転送先としてＩＰ電話機１０３が設定されたＲＥＦＥＲリクエストをＨＧＷ１０４を介してＩＰ電話機１０７に送信する。ＩＰ電話機１０７は、ＲＥＦＥＲリクエストを受信したことを示すレスポンス（２０２  Ａｃｃｅｐｔｅｄ）及び転送処理中であることを示すＮＯＴＩＦＹリクエストの各々をＨＧＷ１０４を介してＩＰ−ＦＡＸ１０１に送信する。ＩＰ−ＦＡＸ１０１は、ＮＯＴＩＦＹリクエストを受信したことを示す成功応答（２００  ＯＫ）をＨＧＷ１０４を介してＩＰ電話機１０７に送信する。ＩＰ電話機１０７は、ＲＥＦＥＲリクエストに基づいて内線セッションにおける通信先をＩＰ−ＦＡＸ１０１からＩＰ電話機１０７に変更するためのＩＮＶＩＴＥリクエストをＨＧＷ１０４を介してＩＰ電話機１０３に送信する。以下、内線セッションにおける通信先を変更するためのＩＮＶＩＴＥリクエストを変更ＩＮＶＩＴＥリクエストとして説明する。次いで、ＩＰ電話機１０３は内線セッションにおける通信先を変更する。具体的に、ＩＰ電話機１０３は、ＩＰ電話機１０７とのＩＰ通話のセッションを確立するために、変更ＩＮＶＩＴＥリクエストに応じて図２のステップＳ２０４と同様の処理であるセッション確立処理を行う（ステップＳ３１０）。以下、ステップＳ３０９におけるＩＰ通話のセッションを第２の通話セッションとして説明する。第２の通話セッションが確立されると、ＩＰ電話機１０３及びＩＰ電話機１０７の間で通話可能となる。
【００３５】
次いで、ＩＰ−ＦＡＸ１０１は、ＩＰ電話機１０７との第１の通話セッション及びＩＰ電話機１０３との内線セッションを終了するために、ＩＰ電話機１０７及びＩＰ電話機１０３の各々とステップＳ２１４と同様の処理を行う（ステップＳ３１１）。その後、ＩＰ−ＦＡＸ１０１は、ステップＳ３１１の処理を実行した後、本処理を終了する。
【００３６】
図４は、図１におけるＩＰ−ＦＡＸ１０１で実行されるＩＰ通信処理の手順を示すフローチャートである。
【００３７】
図４の処理は、ＣＰＵ１１０がＲＯＭ１１１に格納された制御プログラムを実行することによって行われる。また、図４の処理も、ＨＧＷ１０４からＩＰ−ＦＡＸ１０１及びＩＰ電話機１０３にＩＰ通信のＩＮＶＩＴＥリクエストが夫々送信される場合の一例として、ＩＰ−ＦＡＸ１０１及びＩＰ電話機１０３で留守番電話接続モードが設定されている場合を前提とする。
【００３８】
図４において、まず、ＣＰＵ１１０は、ＨＧＷ１０４からＩＰ通信のセッション（以下、「ＩＰ通信セッション」という。）の確立を要求するＩＮＶＩＴＥリクエスト（以下、「ＩＰ通信ＩＮＶＩＴＥリクエスト」という。）を受信したか否かを判別する。その後、ＣＰＵ１１０は、ＩＰ通信ＩＮＶＩＴＥリクエストを受信すると（例えば、図２のステップＳ２０２や図３のステップＳ３０２）、ＩＰ通信ＩＮＶＩＴＥリクエストに応じて直ちに図２のステップＳ２０４の処理を行う（ステップＳ４０１）。次いで、ＣＰＵ１１０はＩＰ電話機１０３に対して呼び出し処理（例えば、図２のステップＳ２０６や図３のステップＳ２０６）を行う。また、ＣＰＵ１１０はＩＰ通信セッションの接続先に呼び出し処理中であることを示す疑似ＲＢＴを通知する（例えば、図２のステップＳ２０８及び図３のステップＳ３０５）。さらに、ＣＰＵ１１０はＣＮＧ監視処理を開始する（例えば、図２のステップＳ２０９及び図３のステップＳ３０６）（ステップＳ４０２）。本実施の形態では、呼び出し処理によって内線ＩＮＶＩＴＥリクエストを送信してから当該内線ＩＮＶＩＴＥリクエストに対する応答通知を受信するまでの待機時間（以下、「応答待機時間」という。）や、ＣＮＧ監視処理の実行時間は予め設定されている。次いで、ＣＰＵ１１０は、予め設定された応答待機時間が経過したか否かを判別する（ステップＳ４０３）。
【００３９】
ステップＳ４０３の判別の結果、応答待機時間が経過したとき、ＣＰＵ１１０は、ＩＰ電話機１０３は応答不可能であると判断し、「呼出しましたが近くにおりません。」等の不在メッセージをＩＰ通信セッションの接続先に通知する（ステップＳ４０４）。次いで、ＣＰＵ１１０は、ＩＰ通信セッションの接続先とのセッションを終了し（ステップＳ４０５）、本処理を終了する。
【００４０】
ステップＳ４０３の判別の結果、応答待機時間が経過しないとき、ＣＰＵ１１０は、ＩＰ電話機１０３から内線ＩＮＶＩＴＥリクエストに対応する応答通知を受信したか否かを判別する（ステップＳ４０６）。その後、ＣＰＵ１１０は、ＩＰ電話機１０３から内線ＩＮＶＩＴＥリクエストに対応する応答通知を受信すると（ステップＳ４０６でＹＥＳ）、ＩＰ通信セッションの接続先及びＩＰ電話機１０３の中継処理を行う（ステップＳ４０７）。ステップＳ４０７の処理は、例えば、図２のステップＳ２１１，Ｓ２１２や、図３のステップＳ２１１、Ｓ３０８を含む。次いで、ＣＰＵ１１０は、ＩＰ通信セッションの接続先から送信される音声データからＣＮＧ信号を検知したか否かを判別する（ステップＳ４０８）。
【００４１】
ステップＳ４０８の判別の結果、ＣＮＧ信号を検知したとき、ＣＰＵ１１０は、ＩＰ通信セッションの接続先がファクシミリ装置であると判断し、図２のステップＳ２１４のセッション終了処理を行う（ステップＳ４０９）。これにより、ＩＰ電話機１０３との内線セッションが終了する。次いで、ＣＰＵ１１０は、ＩＰ通信セッションの接続先からＩＰ−ＦＡＸ受信を行って（ステップＳ４１０）、ステップＳ４０５の処理に進む。
【００４２】
ステップＳ４０８の判別の結果、ＣＮＧ信号を検知しないとき、ＣＰＵ１１０は、予め設定されたＣＮＧ監視処理の実行時間が経過したか否かを判別する（ステップＳ４１１）。
【００４３】
ステップＳ４１１の判別の結果、ＣＮＧ監視処理の実行時間が経過しないとき、ＣＰＵ１１０はステップＳ４０８の処理に戻り、ＣＮＧ監視処理の実行時間が経過したとき、ＣＰＵ１１０は、ＩＰ通信セッションの接続先がファクシミリ装置でないと判断する。その後、ＣＰＵ１１０は、ＩＰ通信セッションの接続先から送信される音声データの録音を行うために、図３のステップＳ３０９〜Ｓ３１１を含むＩＰ通信転送処理を行う（ステップＳ４１２）（ＩＰ通信制御手段）。これにより、ＩＰ通信セッションの接続先及びＩＰ電話機１０３が直接通話可能となり、ＩＰ通信セッションの接続先から送信される音声データをＩＰ電話機１０３が録音可能となる。次いで、ＣＰＵ１１０は、ステップＳ４１２の処理を行った後、ステップＳ４０５の処理に進み、本処理を終了する。
【００４４】
本実施の形態によれば、ＩＰ−ＦＡＸ１０１において、ＩＰ通信がＩＰ−ＦＡＸ通信であるか否かが判別され、ＩＰ通信がＩＰ−ＦＡＸ通信でなくＩＰ通話である場合、受信されたＩＰ通信がＩＰ電話機１０３に転送される。これにより、保留サーバ等を設けること無くＩＰ通信をＩＰ電話機１０３に転送することができる。つまり、複雑なシステムを構築することなく、ローカルＩＰネットワーク１０２で接続されたＩＰ−ＦＡＸ１０１とＩＰ電話機１０３との連携処理をスムーズに行うことができる。また、ＩＰ通信を受信すると、ＩＰ電話機１０３とのセッションも確立されるので、ＩＰ通信がＩＰ−ＦＡＸ通信でないことを判別してから、即座にＩＰ通信をＩＰ電話機１０３に転送することができる。その結果、ＩＰ−ＦＡＸ通信でないＩＰ通信としてのＩＰ通話の録音も早急に実行することができる。
【００４５】
また、本実施の形態では、ＩＰ通信がＩＰ−ＦＡＸ通信である場合、ＩＰ通信ＩＮＶＩＴＥリクエストに基づいてＩＰ−ＦＡＸ１０５とＩＰ−ＦＡＸ通信が行われる。これにより、ＩＰ−ＦＡＸ１０５とＩＰ−ＦＡＸ通信を確実に行うことができる。
【００４６】
本実施の形態では、ＩＰ通信がＩＰ−ＦＡＸ通信である場合、ＩＰ通信ＩＮＶＩＴＥリクエストに基づいてＩＰ−ＦＡＸ１０５とＩＰ−ＦＡＸ通信が行われる前にＩＰ電話機１０３とのセッションが終了される。これにより、ＩＰ電話機１０３において不要なセッションの確立が継続されることを防止することができる。
【００４７】
また、本実施の形態では、ＩＰ通信を受信すると（ステップＳ２０２）、直ちにＩＰ−ＦＡＸ１０５とセッションが確立される（ステップＳ２０４）。これにより、ＩＰ−ＦＡＸ１０５及びＩＰ電話機１０３の間のセッションが先に確立され、ＩＰ通信がＩＰ電話機１０３へ先に受信されるのを防止することができる。
【００４８】
本発明は、上述の実施の形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、本発明は、１以上の機能を実現する回路（例えば、ＡＳＩＣ）によっても実現可能である。
【符号の説明】
【００４９】
１０１，１０５  ＩＰ−ＦＡＸ
１０２  ローカルＩＰネットワーク
１０３  ＩＰ電話機
１０９  公衆ＩＰネットワーク
【図１】
2017011572.tif 000003
【図２】
2017011572.tif 000004
【図３】
2017011572.tif 000005
【図４】
2017011572.tif 000006